(57)【要約】【課題】高容量メモリカード用電気コネクタ【解決手段】本発明は、その下方主面（７６）上に、規則的でない横方向配置で、一連の導電パッド（Ｐｉ）を有し、かつ各パッドが、支持体によって支持される電気コンタクトブレード（１００）と係合し、一連の長手方向平行ブレード（１００）に属するＳＤタイプの接触形メモリカードのための支持体５２を備えるタイプであって、ブレードの各自由端部（１０２）が、対応する導電パッド（Ｐｉ）と共に接触点を形成し、少なくとも２つの接触点が、残りの接触点に対して、長手方向にずれているタイプの電気コネクタ（５０）であり、全てのコンタクトブレード（１００、１０２）が、同一であり、かつ前記ブレードを単一の挿入操作で嵌合できるように、カード上の導電パッド（Ｐｉ）の配置と矛盾のない一定の横方向ピッチで配置されていることを特徴とする電気コネクタを提供する。【選択図】図１１
2004530261.tif 000002
【特許請求の範囲】
【請求項１】
絶縁材で形成され、その下主面（７６）に、接触式メモリスマートカード（Ｃ）の横方向縁部（６６）の近傍に、規則的でない横方向の配置で配置されており、各々が、支持体（５２）のハウジングの底部（６２）に配置された、該支持体によって支持されかつ一連の平行長手方向ブレード（１００）に属している、電気コンタクトブレード（１００）の自由接続端部（１０２）に係合する、一連の平行な長手方向導電パッド（Ｐｉ）を有する矩形状の全体形状からなる接触式メモリスマートカードのために、その上面（５６）が開口しているハウジング（５８）を形成する支持体（５２）を備え、各ブレードが、長手方向への挿入操作によって、該支持体内に嵌込まれるタイプ、およびカード（Ｃ）が、その接触位置にある場合に、コンタクトブレードの各自由端部（１０２）が、対応する導電パッド（Ｐｉ）と共に一つの接触点を形成し、少なくとも２つの接触点が、残りの接触点に対して長手方向にずれているタイプの電気コネクタ（５０）であって、
前記全てのコンタクトブレード（１００、１０２）が、同一であり、かつ前記ブレードを単一の挿入操作で同時に嵌合できるように、前記カード上の導電パッド（Ｐｉ）の配置と矛盾のない一定の横方向ピッチ（Ｅ）で配置されていることを特徴とする電気コネクタ。
【請求項２】
前記カードが、一組の連続する導電パッドに属する少なくとも２つのパッドが、導電パッド（Ｐｉ）の自由下方接触面が実質的に存在する水平面に対して、鉛直方向下方に突出する絶縁パーティション（６７）によって隔離されている、ＭＭＣタイプのカード、特にＳＤタイプのカードであることを特徴とする、請求項１に記載の電気コネクタ。
【請求項３】
前記全てのパーティション（６７）が、接触位置において、ハウジング（５８）の底部（６２）の上面に対して垂直になっている、前記カードの下面（７６）と同一平面上にある下縁部によって、鉛直方向下方に境界が形成されていることを特徴とする、請求項２に記載のコネクタ。
【請求項４】
前記同一のコンタクトブレード（１００、１０２）が、その値が、２．３５〜２．４５ｍｍの間で選択される一定のピッチ（Ｅ）で配置されていることを特徴とする、請求項２または３に記載のコネクタ。
【請求項５】
前記同一のコンタクトブレード（１００、１０２）が、２．４ｍｍの一定のピッチ（Ｅ）で配置されていることを特徴とする、請求項４に記載のコネクタ。
【請求項６】
ハウジング（５８）の底部（６２）の上面の平面から鉛直方向上方に突出する、各コンタクトブレードの自由接触端部の横方向幅が、０．５ｍｍであることを特徴とする、請求項５に記載のコネクタ。
【請求項７】
ハウジング（５８）が、前記カードの全面と平行な方向にハウジング（５８）内に長手方向に挿入され、かつカード（Ｃ）の前記横方向縁部（６６）が、該カードの接触位置を規定するために、それに対して当接する底縁部（７８）によって横方向の境界が形成される、カード（Ｃ）の少なくとも一部分を収容することを特徴とする、請求項１〜請求項６のうちのいずれか一項に記載のコネクタ。
【請求項８】
前記コンタクトブレード（１００）の各々の長手方向位置、および絶縁支持体（５２、７８）に対する自由接触端部（１０２）の長手方向位置が、前記挿入操作後に、前記絶縁支持体の対応部分と長手方向に当接する前記コンタクトブレードの一部分によって決まることを特徴とする、請求項１〜請求項７のうちのいずれか一項に記載のコネクタ。
【請求項９】
カード（Ｃ）の前記横方向縁部（６６）が、コネクタ（５０）のハウジング（５８）内におけるカード（Ｃ）の正しい方向を規定する極性化手段を構成するために、ハウジング（５８）の底部横方向縁部（７８）の端部のうちの一つに、４５°の傾斜で形成された対応面（９８）に係合するように指定された、約４５°の切り取り角部（６４）を有することを特徴とする、請求項１〜請求項８のうちのいずれか一項に記載のコネクタ。
【請求項１０】
前記カードが前記正しい方向に挿入されている場合に、２つの連続するパーティション（６７）の間の自由接触端部と共に収容されるように、および後部が前記正しい方向に挿入されていない場合に、前記カードの完全な長手方向挿入を防ぐために、前記カードの横方向面部（６８）に係合するように、前記ハウジングの底部（６２）に盛り上がり部として形成され、かつ前記コンタクトブレードのうちの一つに横方向に隣接して、その自由接触端部（１０２）の近傍に、および前記カードの長手方向の挿入方向を考えた場合に、その後方の上流に配置されたストップ部（１３６）を有することを特徴とする、請求項１〜請求項９のうちのいずれか一項に記載のコネクタ。
【請求項１１】
前記カード（Ｃ）をハウジング（５８）内に保持する金属製カバー（５４）であって、カード（Ｃ）の上面（７４）を覆って広がり、かつ該カバーに対して１個構成の部材として形成され、ＳＤカードのための書込み保護デバイス（６５、６９）の状態を検出するためのスイッチ（１４０）に属するコンタクトブレード（１４２）を有する金属製カバーを含むことを特徴とする、請求項１〜請求項１０のうちのいずれか一項に記載のコネクタ。
【請求項１２】
カバー（５４）が、ＳＤカードを接触位置に固定するための弾性変形可能なブレード（１８４、１８６）を有することを特徴とする、請求項１１に記載のコネクタ。
【請求項１３】
前記カバーが、カード（Ｃ）の前記コネクタ内への挿入時の端部を検出するためのスイッチ（１９０）に属する、弾性変形可能なブレード（１９２）を含むことを特徴とする、請求項１１に記載のコネクタ。
【請求項１４】
前記カバーが、前記絶縁支持体の相補的側方部分（８０、８２、８８、９０）を取り巻き、かつ補強する側方縁部（１２０、１２２、１２４、１２６、１３３、１３５）を有することを特徴とする、請求項１１〜請求項１３のうちのいずれか一項に記載のコネクタ。
【請求項１５】
各コンタクトブレード（１００）が、その前方自由接触端部（１０２）と反対側に後方接続端部（１０４）を有し、かつＳＤカードの下面の面の下に存在する、絶縁支持体（５２）内に固定するための部分（１５１）を有することを特徴とする、請求項１〜請求項１４のうちのいずれか一項に記載のコネクタ。
【請求項１６】
成形により単一の部材で形成された絶縁支持体（５２）が、マイクロシムカードを受容するように指定された別の一体型コネクタ（５０’）の絶縁支持体（５２’）と共用であることを特徴とする、請求項１〜請求項１５のうちのいずれか一項に記載のコネクタ。
【請求項１７】
前記コンタクトブレード（１００）が、絶縁支持体（５２）内に同時に挿入され、かつ均一な寸法特性を有するように、同じ製造バッチに属していることを特徴とする、請求項１〜請求項１６のうちのいずれか一項に記載のコネクタ。
【発明の詳細な説明】
【技術分野】
【０００１】
本発明は、矩形状の全体形状からなる接触式スマートカード用電気コネクタに関する。
【０００２】
本発明は、より具体的には、絶縁材で形成され、その下主面に、接触式メモリスマートカードの横方向縁部の近傍に、規則的でない横方向の配置で配置され、各々が、支持体のハウジングの底面に配置された、該支持体によって支持されかつ一連の平行長手方向ブレードに属している電気コンタクトブレードの自由接続端部に係合する、一連の平行な長手方向導電パッドを有する矩形状の全体形状からなる接触式メモリスマートカードのために、その上面が開口しているハウジングを形成する支持体であって、各ブレードが、その長手方向への挿入操作によって、該支持体内に嵌込まれる支持体を備えるタイプ、および上記カードが、その接触点にある場合に、コンタクトブレードの各自由端部が、対応する導電パッドと共に一つの接触点を形成するタイプの電気コネクタに関する。
【背景技術】
【０００３】
ＩＴＴ社により販売されているこのような電気コネクタの実例は、欧州特許出願公開第０．７３８．９８３号明細書に記載及び説明されている。
【０００４】
この明細書は、小さなサイズのカードである、マイクロシム（ＭＩＣＲＯＳＩＭ）タイプの規格化されたカードを接続するためのコネクタについて開示している。例えば、上記カードの前部を構成する長辺部は、上記コネクタの支持部のハウジング内に受容され、すなわち、該カードの下面は、絶縁支持体内に形成された該ハウジングの底部に面する、該カードの全面にわたって実質的に広がっており、特に該カードを容易につかめるように、該カードの小さな後方長手部分のみが、該ハウジングから突出している。
【０００５】
また、接触子の接続端部は、上記コネクタを受容する、プリント回路基板の導電トラックに係合するために、後方の前部及び後部の横方向面を越える前記絶縁支持体の、それぞれ前部及び後部方向長手方向に一群となって伸びている。
【０００６】
さらに、上記明細書は、上記支持体上を滑動するように取付けられ、かつ上記後方が上記ハウジング内の定位置にあるときに、上記カードの下面上に存在する、その上部プレート状主要部によって、上記絶縁支持体のハウジング内に上記カードを保持する金属製カバーの配置についても開示している。
【０００７】
国際公開第００／１７８０５号文献（アイティーティー・マニュファクチャリング・エンタープライゼス・インコーポレーテッド）は、大量のデータを記憶するために特に使用され、従って高蓄積容量の小さな取外し可能メディアを構成する、規格化された別のタイプのカードを接続するために特に適しているコネクタについて開示している。フラッシュカードとも呼ばれるこのようなタイプのメモリカードのいくつかの実例は公知であり、そのサイズは、だんだん小さくなっており、またその記憶容量は大きくなってきている。
【０００８】
このことは、特に、サンディスク社によって販売されているマルチメディアカード（ＭｕｌｔｉＭｅｄｉａＣａｒｄ；ＭＭＣ）と呼ばれている場合についてであり、その集積回路を含む本体の寸法及びその導電接触パッドの位置決めは、そのようなカードの規格化された定義を可能にするために、その製造会社及びユーザとの関係によって、厳密に規定される。この定義は、例えば、１９９９年のＭＭＣＡにおけるマルチメディアカードシステム仕様書、オフィスリリース２．１１版の発表のテーマを構成する。
【０００９】
この説明に対して添付された、図６に示すこのタイプのＭＭＣカードは、一般に、その形状及び大きさが、マイクロシムカードと同じであり、特に、一般的にその形状が長方形である該カードの角部のうちの一つに形成された切り欠き部６４からなり、かつ該カードをコネクタおよび／または読み出し書き込み装置内に正確かつ明確に位置決めするための極性化手段を含む点が同じである。
【００１０】
一方、上記ＭＭＣカード上の接触パッドＰ１は、前縁の極性化切り欠き部６４も形成されている、該ＭＭＣカードの短辺前端横方向縁部６６の近傍に横方向に整列されている、一連の７つの実質的に隣接する導電パッドからなる。
【００１１】
７つの接触パッドＰ１〜Ｐ７は、２．５０ｍｍの均等ピッチで横方向に配置され、それらの下方自由接触面は、互いに同一平面上にあり、かつ上記カードのプラスチック体の下面７６と同一平面上にある。各パッドＰｉの最小横方向幅は、１．５５ｍｍである。
【００１２】
上記カードは、１．４ｍｍの一定の厚さを有し、その長さは３２ｍｍで、その全横幅は２４ｍｍである。
【００１３】
従って、上記ＭＭＣの全体の寸法は、マイクロシムカードの寸法よりも大きく、上記の国際特許出願で提案されたコネクタのデザインは、その上にコネクタが取付けられるプリント回路基板の上面上で、上記コネクタの絶縁支持体が占める領域が大きい限りはっきりとした欠点である、非常に大きな全体のサイズを有するコネクタを結果として生じる限り、このタイプのカードには全く適しておらず、そのため、この領域は、当然、もはや該プリント回路基板上の他の電子部品を実装するために使用することができない。
【００１４】
この欠点を改善するために、様々なデザインが既に提案されており、例えば、マイクロシムカード及びＭＭＣカードを同時に接続するためのコネクタについて開示している国際公開第００／１７８０６号文献（アイティーティー・マニュファクチャリング・エンタープライゼス・インコーポレーテッド）や、カードエジェクタを有するＭＭＣカードのためのコネクタについて開示している国際公開第０１／２９９３４号文献（アイティーティー・マニュファクチャリング・エンタープライゼス・インコーポレーテッド）に説明されている。
【００１５】
上記後者の文書においては、弾力性コンタクトブレードの数は７つであり、それらのブレードのうちの５つは、ハウジングの前部横方向底縁部の近傍に横方向に整列されており、残りの２つのブレードは、後方から前方への上記カードの長手挿入方向を考えた場合、長手方向後方へずれており、そのため、それら２つの自由接触端部は、長手方向後方へずれている。この特徴により、上記カード上のＰ３、Ｐ４の符号が付けられた２つのパッドが、他のパッドが接続される前に、アース回路及び電源へ電気的に接続されることが可能になる。
【００１６】
大記憶容量を有するカードの中には、最近、サンディスクによって販売されているＳＤ（Ｓｅｃｕｒｅ  Ｄｉｇｉｔａｌ）カードと呼ばれる新しいカードあり、その全体のサイズ（長さ及び幅）は、２．１ｍｍ以上であるその厚みを除いて、この説明に対し添付した図６を見て分かるように、上記ＭＭＣカードのサイズと等しい。
【００１７】
このＳＤカードの全ての特徴及び性能特性は、ＳＤＣＡ（ＳＤカードアソシエーション；ＳＤ  Ｃａｒｄ  Ａｓｓｏｃｉａｔｉｏｎ）により発行された文書によって規定されており、ＳＤＣＡの住所は、５３  Ｍｕｃｋｅｌｅｍｉ  Ｓｔ．Ｐ．Ｏ．Ｂｏｘ  １８９，Ｓａｎ  Ｊｕａｎ  Ｂａｕｓｔｉｓｔａ，ＣＡ９５０４５〜０１８９、米国である。
【００１８】
このカードは、接触放電の場合に約１０ｋＶの、および空中放電の場合に約１５ｋＶの静電放電（ｅｌｅｃｔｒｏｓｔａｔｉｃ  ｄｉｓｃｈａｒｇｅ；ＥＳＤ）に対する公差に関して、特に改善された性能特性を有しており、この改善は、以下に説明するように、特に、プラスチック製のパーティションによって分離されている接触パッドに起因する。
【００１９】
上記カードの下面７６は、２．５ｍｍのピッチで横方向に均等に配置され、それらの最小横方向幅が１．４ｍｍである点で、また、特に該カードの絶縁体の切り欠き角部６４に対して、同じように横方向に配置されている点で、上記ＭＭＣカード上の６つのパッドＰ１〜Ｐ６と等しい６つの接触パッドＰ１〜Ｐ６を前部横方向縁部近傍に有する。
【００２０】
一方、接触パッドＰ７は、横方向幅が１．１ｍｍで狭くなっており、該パッドの左側に隣接する接触パッドＰ６に対して、８．０５−５．６２５＝１．４２５ｍｍだけ横方向にずれていると共に、該パッドの右側に隣接する第１の追加的な接触パッドＰ８に対して、９．７５−８．０５＝１．７０ｍｍだけずれており、接触パッドＰ８の横方向幅は、０．９ｍｍである。
【００２１】
また、上記ＳＤカードは、パッドＰ１〜Ｐ６と同様に１．４ｍｍの横方向幅を有し、かつ第一に、接触パッドＰ１に対して、２．５ｍｍだけ左の横方向へずれており、第二に、全て整列しているパッドＰ１〜Ｐ８に対して、１．７ｍｍだけ長手方向後方へずれている第２の追加的な接触パッドＰ９を有する。
【００２２】
さらに、９個の接触パッドＰ１〜Ｐ９の全ての自由下面は、同一平面上にあり、かつ上記ＳＤカードの下面７６の面に対して、鉛直方向上方にずれている。
【００２３】
このずれのために、隣接しかつ左から右へ連続する接触パッドＰ９からパッドＰ１〜Ｐ６は、絶縁材で形成され、かつ長手方向に形成され、各々が、上記カードの長手方向縁部近傍に配置された２つのパーティションの場合に、０．７ｍｍの横方向幅及び０．７ｍｍの高さを、また、残りの７つのパーティションの場合に、０．７ｍｍの高さ及び０．６ｍｍの幅を有するパーティション６７によって、２つ一組で分離されている。しかし、単にそれぞれが電気的に隔離されている隣接した接触パッドＰ７、Ｐ８間には、絶縁パーテーションは存在しない。
【００２４】
また、上記ＳＤカードの２つの対向する長手方向縁部７０、７２のそれぞれは、一方で、該カードを受容する上記コネクタ内に正確にガイドできるようにし、かつ他方で、表を下にした向きから表を上に下向きで該カードをコネクタ内へ挿入するのを識別するための極性化の追加的な手段を可能にする非対称的な側面形状を該ＳＤカードに与える、溝のある側面７１、７３を下面７６に有する。溝７１、７３の深さは、０．７ｍｍであり、すなわち厚さの差は、２つのＳＤ及びＭＭＣタイプのカード間で、２．１−１．４＝０．７ｍｍである。
【００２５】
最終的に、左側の長手方向縁部７０において、上記ＳＤカードは、カーソル６９が、書き込み保護が作動しない場合の後方位置と、該書き込み保護が作動する場合の前方位置の２つの反対の長手方向位置を占めることが可能であるノッチ６５である書き込み保護デバイスを有する。
【００２６】
またＳＤカードは、その右側長手方向縁部７２において、ある用途において、該ＳＤカードが、ノッチ７５内に受容された相補手段によって長手方向に固定されることを保証するノッチ７５を有する。
【００２７】
したがって、上記ＭＭＣカードと比較して上記ＳＤカードは、均等でない配置の接触パッドＰｉを有し、かつ実質的に異なるデザインを有する。
【００２８】
しかし、このタイプのＳＤカードに対して信頼性のあるコネクタを有することができることと共に、必要に応じて、上記ＭＭＣタイプのカードも受容できることが好ましい。
【００２９】
これにより、上記コネクタにおけるコンタクトブレードの配置に関して、および特に、それらの正確な位置決めに関して、高度な複雑さが生じることになる。
【００３０】
このタイプのコネクタの全ての公知のデザインは、均等でない間隙またはピッチで横方向に配置されたコンタクトブレード、および／または各カードの種類に対して異なりかつ非均質のコンタクトブレードを使用する。
【００３１】
「非均質」という用語は、特に、同じ帯状材料から製造されていないコンタクトブレード、および／または異なる設定の切断及び加工工具によって得られた異なるバッチに属するコンタクトブレードを意味するように理解される。以下の「同一ブレード」という表現は同一でかつ均質のブレードを意味する。
【００３２】
従って、上記コンタクトブレードは、異なる工具によって長手方向の挿入により形成されかつ取付けられる。
【００３３】
そのような解決法の上記複雑さ、およびそのために生じるコストの上昇に加えて、上記コネクタには、様々なコンタクトブレードの自由接続端部が、該コネクタを保持するプリント回路基板上の導電トラックと同一平面上にないという危険性が増加するという重大な欠点がある。
【発明の開示】
【００３４】
これらの欠点を改善するために、本発明は、前記コンタクトブレードの全てが同一で、かつ前記ブレードを一度の挿入操作で同時に嵌込むことができるように、上記カード上への導電パッドの配置と両立できる、一定の横方向ピッチで配置されていることを特徴とする、上述のタイプのコネクタを提供する。
【００３５】
本発明の他の特徴によれば、
・前記コンタクトブレードは、絶縁支持体内に同時に挿入され、かつ均等な寸法特性を有するように、同じ製造バッチに属しており、
・上記カードは、ＭＭＣタイプのカードであり、特に、一組の連続する導電パッドに属する少なくとも２つのパッドが、上記導電パッドの下方自由接触面が実質的に存在する水平面に対して、鉛直方向下方に突出している絶縁パーティションによって分離されている、ＳＤタイプのカードであり、
・前記パーティションの全ては、接触位置において、上記ハウジングの底面の上面に対して垂直になっている上記カードの下面と同一平面上にある下方縁部によって、鉛直方向下方に境を接しており、
・上記コネクタの前記同一のコンタクトブレードは、その値が２．３５〜２．４５ｍｍに選定される一定のピッチで配置されており、
・上記コネクタの前記同一のコンタクトブレードは、２．４ｍｍの一定のピッチで配置されており、
・上記ハウジングの底面の上面の平面から鉛直方向上方に突出する、各コンタクトブレードの自由接触端部の横方向幅は、０．５ｍｍであり、
・上記ハウジングは、上記カードの全面と平行な方向に、該ハウジング内に長手方向に挿入され、かつ該カードの接触位置を画定するために、それに対して該カードの前記横方向縁部が当接する底部縁部によって、横方向に境を接する該カードの少なくとも一部を収容し、
・上記絶縁支持体に対する、前記コンタクトブレード及びその自由接触端部のそれぞれの長手方向位置は、挿入操作後に、該絶縁支持体の対応部分に、長手方向に当接するコンタクトブレードの一部によって決定され、
・上記カードの前記横方向縁部は、該カードの正しい方向を上記コネクタのハウジング内に確定する極性化手段を構成するために、該ハウジングの底部横方向縁部の端部の一つに形成された４５°の対応する傾斜面に係合するように指定された、約４５°の切り欠き角部を有し、
・上記カードの長手方向の挿入方向を考えた場合に、該カードが前記正しい方向に既に挿入されているときに、２つの連続するパーティションの間に上記自由接触端部と共に収容されるように、および上記後方が、前記正しい方向に挿入されていない場合に、該カードの完全な長手方向の挿入を防ぐために、該カードの横方向面の一部に係合するように、上記コネクタは、上記ハウジングの底面にレリーフとして形成され、かつその自由接触端部の近傍に、および後方の上流で、上記コンタクトブレードのうちの一つに長手方向に隣接して配置されているストップ部を有し、
・上記コネクタは、上記カードの上面全面に広がり、かつＳＤカードのための書き込み保護デバイスの状態を検出するためのスイッチに属する、上記カバーに対して一つの部材として形成された少なくとも一つのコンタクトブレードを有する、上記ハウジング内に該カードを保持するための金属製カバーを含み、
・上記カバーは、一枚のＳＤカードを上記接触位置に固定するための弾性的に変形可能な一つのブレードを有し、
・上記カバーは、上記コネクタへの上記カードの挿入端部を検出するためのスイッチに属する弾性的に変形可能なブレードを
・上記カバーは、上記絶縁支持体の相補的側方部材の周りを回転し、かつ該部材を補強する側方リムを有し、
・各コンタクトブレードは、その前部自由接続端部と反対側に、後部接続端部を有し、かつＳＤカードの下面の面の下に存在する絶縁支持対内に固定するための部分を有し、
・上記ＭＭＣカードまたはＳＤカードのためのコネクタの上記絶縁支持体が、モールディングにより単一の部材に形成され、かつマイクロシムカードを受容するように指定された別のさらなる一体コネクタの絶縁支持体と共通である。
【００３６】
本発明の他の特徴及び効果は、以下の詳細な説明を読めば明らかになり、読む人は、その理解のために添付図面を参照すべきである。
【発明を実施するための最良の形態】
【００３７】
以下の説明においては、同一、同等または類似部材は、同じ参照数字で示す。
【００３８】
図１に関しては、「下方」、「上方」、「前方」及び「後方」という用語は、限定することなく、慣例により採用する。
【００３９】
該図は、電気コネクタ５０を示し、該コネクタは、本質的に、全体がプレート状のプラスチック製絶縁支持体５２と、カードハウジング５８が形成されている、絶縁支持体５２の上面５６と水平な面上に特に広がっている金属製又は金属化された蓋又はカバー５４とで構成され、このハウジングは、カバー５４の主要上方プレート状部分６０と対向して、鉛直方向上方に開口している。
【００４０】
ハウジング５８は、水平下方底部壁部６２によって鉛直方向下方に境界が形成され、かつ例えば、ＳＤタイプ又はＭＭＣタイプのカードＣである電子メモリカードの前方部分の長手方向への挿入のためのスロットを有するように、長手方向後方へ開口している。
【００４１】
公知のデザインのカードＣは、横方向前端縁部６６と、横方向後端縁部６８及び２つの平行かつ対向する側縁部７０、７２によって境界が形成される矩形状の全体形状を有する。
【００４２】
縁部６６、７２の挿入に対応する前方右側角部は、カードＣの位置及び方向を極性化するために、規格化された４５°で切り欠かれた切り欠き角部６４を有する。
【００４３】
また、カードＣは、水平上面７４と、上記コネクタの上記コンタクトブレードの自由接触端部１０２の方へ向けられ、この場合、プリント回路基板の方へ向けて下方に向けられ、かつ上面に上記コネクタを保持するプリント回路基板（図示せず）へ向けて下方に設けられた一連の導電接触パッドＰｉを、その横方向前端縁部６６近傍に有する反対側の平行下面７６を有する。
【００４４】
本明細書の導入部に詳細に記載したＳＤ及びＭＭＣの２種類のカードを、それらの下面７６を示した図６、７に示す。
【００４５】
カードＣは、後方から前方のハウジング５８内へ、その前方横方向縁部６６が前方へハウジング５８を画定する前方横方向底部縁部７８にぶつかるまで、図２に示す方向Ｌ１に挿入することができる。
【００４６】
カードＣの対向する側縁部７０、７２は、それぞれがハウジング５８の横方向の境界をなす、平行かつ対向する長手方向縁部８０、８２によって、ハウジング５８内を「滑動」するようにガイドされる。
【００４７】
より具体的には、図４、９を見て分かるように、縁部８０、８２は、図に示すように、その後、段状部８１、８３上に収容される、（上記コネクタ内の定位置に示していない）ＳＤカード又はＭＭＣカードのいずれかを使用できるように、該コネクタの滑動部内に挿入されたカードがその上にはまる水平段状部８１、８３を有する、（その各縁部が段状部７１、７３を有する）ＳＤカードの縁部７０、７２の輪郭と相補的な階段状の輪郭を有する。
【００４８】
図面を見て分かるように、カードＣの前方部分を受容するハウジング５８は、前方横方向底部縁部７８によって前方横方向に完全に境界が形成され、かつ絶縁支持体５２の後方横方向端面８４によって後方横方向に完全に境界が形成されている。
【００４９】
さらに、絶縁支持体５２は、前方横方向面８６によって、前方横方向に境界が形成されている。
【００５０】
カードＣが、そのハウジング５８内への挿入中、または該ハウジングからの引き抜き中の該カードの側方のガイドを改善するために、絶縁支持体５２の本体は、長手方向ガイド縁部８０、８２の長さを増長させるために、後方横方向面８４を越えて長手方向後方に伸びている、２つの長く対向した長手方向延長部またはアーム部８８、９０を有する。
【００５１】
また、延長部８８、９０は、挿入面取り部９２、９４を有する、ガイド縁部８０、８２の輪郭を延長する輪郭を有する。
【００５２】
（図示しない）代替形態によれば、より短いアーム又は延長部を有するコネクタの実施例を実施することが可能であるが、この短さは、以下に説明するスイッチ１４０の取付けを可能にするように十分なものである。
【００５３】
カードＣの位置及び方向を極性化する機能を実現するために、前方横方向底部縁部７８及び長手方向縁部８２の挿入に対応するハウジング５８の角部は、図５を見て分かるように、カードＣが正しい位置に挿入された場合に、切り欠き角部６４の形状及び寸法と相補的になっている、４５°の角度をなす鉛直面９８を有する。
【００５４】
スマートカードを接続するコネクタの分野において知られている方法によれば、絶縁支持体５２は、弾性的に変形可能なブレードの形に形成されている一連の電気接触体１００を有し、その自由接触端部１０２は、カードＣの下面７６上の導電パッドに係合するために、底面６２の面の上に鉛直方向に突出している。
【００５５】
図に示した実施例においては、弾力的なコンタクトブレード１００は９つあり、それらのブレードのうち６つは、ハウジング５８の前方横方向底部縁部７８の近傍で、横方向に整列しており、残りの３つのブレードは、ＳＤカードの接触パッドＰ３、Ｐ４、Ｐ９に対応して、それらの接触端部１０２が、長手方向後方にずれるように、長手方向後方にずれている。パッドＰ９の場合、このずれは、上記ＳＤカードのデザインに起因し、パッドＰ３、Ｐ４に関連するブレードのずれは、既に説明した「ホットプラグイン」接続によるものである。
【００５６】
全てのコンタクトブレード１００は同一であり、各々は、後方横方向面８４と略整列して端部を形成するタブの形になっている後方自由接続端部１０４を有し、各端部１０４は、ここでは、上記プリント回路基板の上面の表面に半田付けされるタブの形でデザインされている。
【００５７】
各タブは、ここでは、プリント回路基板上のトラックに半田付けするために、９０°の角度で曲がっているが、メッキされたスルーホール内への挿入に適したタイプでもよい。
【００５８】
出力タブが、上記プリント回路基板上の対応するトラックを弾性的に圧迫接触している、「ソルダーレス」と呼ばれる実施例も実現することができる。鉛直方向の圧迫は、上記コネクタを受容する装置によってもたらされ、その一部は、カバー５４を圧迫し、さもなければ、該コネクタは、例えば、上記プリント回路基板のメッキされたスルーホール内に収容される銛の形状にデザインされたアースタブ１３２、１３４をスナップ固定することにより（既に説明した部分参照）、該プリント回路基板に固定される。
【００５９】
前方横方向底部縁部７８及び後方横方向面８４によって境界が形成される長さは、この場合、上記ＳＤタイプまたはＭＭＣタイプのカードＣの全長の略４分の１である。
【００６０】
すなわち、図１０を見ればより具体的に分かるように、カードＣの約４分の３が、上記プリント回路基板の上面の対向部分の上で、片持ち状態で、ハウジング５８から出て長手方向後方へ伸びている。
【００６１】
また、図１１、１３を見て分かるように、その前方横方向縁部１０８及び後方横方向縁部１１０により境界が形成されたカバー５４の上部プレート６０の長さは、ハウジング５８の長さのおよそ２倍であるのに対して、上記カードの全長の半分以上は、縁部８０、８２及び延長部８８、９０によって定位置にガイドされかつ保持される。
【００６２】
上記コネクタを実装する上記プリント回路基板のアースに接続されている、金属製または金属化されたカバー５４の縁部１１０は、上記カードのコネクタ５０内への長手方向の挿入のスタート時に静電放電できるようになっている。
【００６３】
特に図１４、１５を見て分かるように、自由接続端部１０４は、脚部９６を有する絶縁支持体５２の下平面５７の面より略下にある。
【００６４】
公知の一般的なデザインによれば、金属製カバー５４は、絶縁支持体５２上に取付けるために、絶縁支持体５２の鉛直及び外部長手方向面の対応部分１１６、１１８に沿って鉛直方向下方に伸びる２つの平行かつ対向する側方縁部１２０、１２２を有する。
【００６５】
縁部１２０、１２２は、滑り路の形に形成されており、すなわち、該縁部は、長手方向の滑動により水平枝部を取付けることができるように、および後部の面から突出しないように、内方に曲げられ、かつ絶縁支持体５２の下面５７内に形成された対応するハウジング内に受容される水平枝路１２４、１２６によって絶縁支持体５２の下に水平方向に伸びている。
【００６６】
特に図２、３、９、１５を見て分かるように、曲げられた部分１２４、１２６を有する滑り路の形に形成された縁部１２０、１２２は、上記カバーに対して、上記カードが、ハウジング５８の方向に上記コネクタ内に長手方向に挿入されている時に、上記ＭＭＣカード又はＳＤカードをガイドするのを補助する２つの長いアーム部８８、９０を完全に取り巻く包囲形状を示す。
【００６７】
この包囲形状は、アーム部８８、９０に全方向性の高い堅牢性を与える。
【００６８】
これは、上記カバーのデザインも、アーム部８８、９０の上面の相補的に形成された部分１３７、１３９内に収容される、上部プレート６０の２つの後方上方角部１３３、１３５によって、該２つのアーム部が横方向に「互いに近づくこと」を防ぐことができるようにするためである。
【００６９】
カバー５４は、前方から後方へ、すなわち、例えば、図１を考えた場合に、左から右へ、長手方向に滑動させることにより支持体５２に取付けられ、またカバー５４は、例えば図１６、１７に詳細に示され、かつ取付けのために横方向面７８、８６間の絶縁支持体５２の上面５６に形成されたノッチ１２７、１２９内に、カバー５４の取付け位置において収容される２つのスナップ固定タブ１２１、１２３によって、絶縁支持体５２上の取付け位置に固定される（図４参照）。
【００７０】
取付け時において、タブ１２１、１２３のスナップ固定は、上記カバーの弾性変形によって該タブが越えていく、上記絶縁支持体の前方上縁部と該タブが係合することによって生じる。
【００７１】
カバー５４を長手方向に引き抜くまたは引っ込めるために必要なことは、タブまたはラグ１２１、１２３を離脱させるために上記絶縁支持体に形成されたノッチ１３１（図４参照）のために、人のつめ又は挿入具によって、その前方横方向縁部１０８を起こすことにより、カバー５４をわずかに弾性変形させることである。
【００７２】
カバー５４は、その前方横方向縁部１０８の近傍において、例えば、金属製カバー５４をアース面に電気的に接続するために上記プリント回路基板の電子回路の該アース面に好ましくは接続される、該プリント回路基板上の対応する導電トラックに、タブ１３２、１３４をリフローによって半田付けすることができるように、リム１２０、１２２から伸びる２つの前方下部水平タブ１３２、１３４を有してもよい。タブ１３２、１３４は、例えば図１、１３〜１７に示すように、上記コネクタの外側方向に曲げてもよく、あるいは、図２〜５、８、９に示すように、内方に曲げてもよい。
【００７３】
タブ１３２、１３４が外側に向かって曲げられている場合には、上記プリント回路基板に実装され、かつ上記カバーの下に配置されている電子部品に対してメンテナンス作業を行うために、該カバーのタブ１３２、１３４から半田を除去することにより、カバー５４を分解することが可能であり、それによって、滑動させることにより一部または完全に取り除くことができる。
【００７４】
その半田タブにより半田付けでカバー５４を機械的に固定することは、コネクタ５０を、追加的な部品又は部材を使用することなく、その前方部の定位置に機械的に保持することを可能にする。また、この前方部の固定は、出力部１０４を半田付けすることによって形成される後方部の固定を安定化する。
【００７５】
特に図１を見て分かるように、カバー５４の上部プレート６０は、接触端部１０２と同様に、上方に向いており、かつ検査装置又はテスタによって、カードＣがない場合に利用できる上記端部に直接接続することによって、部品及びコネクタが半田付けされた後に、装置を検査することができるようにする、一連の穴部６１を有する。
【００７６】
横方向スロット６３は、出力タブ１０４を半田付けすることができ、かつ該半田付けされた接合部を検査することができるようにする。
【００７７】
上記カバーが形成する電磁気遮蔽を改良することが望ましい場合には、穴部６１又はスロット６３がない上部プレートを形成することが可能である。
【００７８】
本発明の教示によれば、全てのコンタクトブレード１００、１０２は、互いに同一であり、かつ上記コネクタ内に収容されたマルチメディアカードの導電パッドＰｉの位置及び配置と両立でき、かつ特にＳＤカードの該パッドの位置及び配置と両立できる一定の横方向ピッチで配置されている。
【００７９】
この配置及びこの両立性を図８に拡大して示すが、そこには、他の図と比較して、詳細がわずかに異なる形状のある部材を有する、本発明に係るコネクタが示されている。
【００８０】
図８及び図１０、１１を見て分かるように、各々が接触パッドＰ１〜Ｐ９のそれぞれと関連している、９つのコンタクトブレード１００、１０２の長手方向中間軸Ａ１〜Ａ９は、この場合２．４ｍｍに等しい均等かつ一定の中心間間隔Ｅを有する状態で図示されている。
【００８１】
このデザインによって、同一かつ等距離の全てのブレード１００、１０２は、単一の工具を用いて、長手方向の挿入、この場合は後方から前方への挿入によって同時に処理することができる。
【００８２】
図８又は図１０に示すように、軸Ａｉの各コンタクトブレード１００、１０２は、該ブレードが係合する接触パッドＰｉに対して、横方向が「一致」していないが、一つのブレードの各自由端部は、該コンタクトブレードの長手方向中間軸Ａｉ上に実質的に存在する後部の少なくとも一箇所によって規定することにより、対応する接触パッドＰｉの矩形状下面の対向部と電気的に接触している。
【００８３】
図を見て分かるように、それは、最も少なく横方向に「一致」しており、かつ対応する中間パーティション６７の反対側の内部側面に特に最も近づいているパッドＰ６、Ｐ７、Ｐ８に関連するブレードである。
【００８４】
以下、その挿入及び保持方法と共に、各ブレード１００、１０２の具体的なデザインについて説明するが、なおここでは、接触パッドＰ１、Ｐ２、Ｐ５〜Ｐ８に関連する最も遠くに進んでいるブレードのグループと比較して、パッドＰ３、Ｐ４、Ｐ９と関連するブレードに対して異なる、各コンタクトブレードの絶縁支持体５２に対する長手方向位置が、その挿入中に、この目的のために横方向縁部８４近傍に設けらたそのハウジングに各ブレードがぶつかる操作による、それらのパッドを取付ける操作に起因することに注意すべきである。
【００８５】
図１０、１１のみに示すように、絶縁支持体５２、従って接触パッドＰｉに対する、それぞれのブレードと、ブレード群の横方向位置との間の２．４ｍｍの中心間間隔は、上記絶縁支持体と共に一個構成の部品として成形され、かつハウジング５８の底部６２に垂直盛上がり部として形成されている脱極性ストップ部１３６を取付けることを可能にする。
【００８６】
ストップ部１３６は、その短い横方向幅が約０．４ｍｍであるため、パッドＰ９に関連するブレード１００、１０２の右側方縁部と、パーティション６７の左内部側方縁部との間に収容される矩形状平行四辺形ブロックであり、パッドＰ９は、該左内部側方縁部によって、右側横方向に境界が形成される。
【００８７】
上記ストップ部の高さは、図に示すように、上記ＳＤカードの完全に正しい挿入を可能にするために、約０．６ｍｍになっている。
【００８８】
しかし、固いストップ部１３６は、上記ＳＤカードが誤って挿入された場合、すなわち、その横方向縁部６８が最初に挿入された場合、該ストップ部が、ハウジング５８内への該ＳＤカードの本体のいかなる挿入も防いで、下縁部が、下面７６及び横方向縁部６８の通過に応じて、図１１の点線で概略的に示すように、ストップ部１３６の後方横方向面１３８にぶつかるように、長手方向に配置されている。
【００８９】
このようなストップ部がない場合には、上記カードは、傾斜した極性化面９８の介入前に、ハウジング５８を部分的に貫通して、パッドＰ３、Ｐ４と関連する、最も遠くに戻った２つのコンタクトブレードの組の自由端部１０２を「つぶす」ことになる。
【００９０】
このようなつぶしを防ぐために、各ブレードの下の隔離部内に発生する穴又は凹部を設けるという別の解決法があるが、これは、一般的に、該ブレードが、材質の降伏点を越えて曲がってしまい、そのため該ブレードの恒久的な変形を生じてしまう。従って、上記自由接触端部が、上記プリント回路基板の上面、あるいは上記コネクタの下方に配置された電子部品と衝突するという危険性もある。
【００９１】
なおこの危険性は、厚さが薄く、段状部８１、８３の上の「高い」位置にあるため、たとえ誤って挿入されても、上記コンタクトブレードをつぶさない、従来のＭＭＣカードの場合には存在しない。誤って挿入されたＭＭＣカードの極性化は、傾斜面９８によってなされる。
【００９２】
上記ＳＤカードの上記コネクタ内の正しい位置への長手方向挿入時に、すなわち、その前方横方向縁部６６が最初に該コネクタを貫通し、その上面７４が上方に向いている場合、接触パッドＰ９と長手方向縁部７２との間に存在し、かつ切り欠き角部６４を終端とするプラスチック製パーティション６７は、長手方向アーム部９０の後端横方向縁部９１にぶつかる危険性を内在する。
【００９３】
この欠点を改善して、上記コネクタのエルゴノミックスをさらに改良するために、上記アームの後方自由端部近傍に、アーム９０の内部長手方向縁部９５に斜め切取り部９３が形成され（例えば、図１、４参照）、該切取り部は、段状部８１、８３上への接触をガイドされる際に、上記ＳＤが押し進むまで、そのようなパーティション６７の接触を防ぐ。
【００９４】
また、本発明に係るコネクタは、ＳＤカード書込み保護カーソル６９の長手方向位置を検出するためのスイッチ４０も含む。
【００９５】
この目的のために、スイッチ１４０は、金属製または金属化されたカバー５４に組込まれた、いわゆる固定コンタクトブレード１４２と、絶縁支持体５２に支持された可動検出ブレード１４４とを有する。
【００９６】
以下に示すように、ブレード１４２は、上記スイッチの作動原理のために固定ブレードと呼ばれるが、該ブレードは、挿入された上記カードに対する寸法の公差を吸収する可能性のある、該カードの挿入および／または引き抜き時に、特に、「ハードスポット」を避けるために、弾性的に変形する性質を有している。
【００９７】
特に、図１、１６、１７を見て分かるように、カバー５４の左側方縁部１２０は、外側横方向へわずかに変形している、長手方向の切り抜き固定ブレードを有する。スイッチ１４０の固定ブレード１４２は、カバー５４の一部であることにより、カバー５４のように、半田付けタブ１３２、１３４によって電気的アースに接続されている。また、このブレード１４２は、「束縛されておらず」、すなわち、上記カバーに対して１個構成の部品として形成されている。
【００９８】
可動ブレード１４４は、長手方向の全体の向きを有し、収容のために側方縁部８０の近傍で絶縁支持体５２内に形成された相補的穴部内に収容され、鉛直方向下方に伸びる、取付け及び接続のための前方脚部１４６を含む。脚部１４６は、上記プリント回路基板と関連する導電トラックに接触して穴部に半田付けされ、または挿入されるように、接続タブ１４７を有する。
【００９９】
上記可動ブレードは、その凸状側面を、上記ＳＤカードの左長手方向縁部７０の方向内側に面した湾曲検出部１５０を終点とする弾性変形可能な枝部１４８によって、嵌込み式脚部１４６を越えて、長手方向後方に伸びている（図１９、２０参照）。
【０１００】
可動ブレード１４４は、固定コンタクトブレード１４２の対向する内面部分１４３と電気的に接触することができる接触タブ１５２を、湾曲部１５０を越えたところに有する。
【０１０１】
図１９に示すように、検出ブレード１４４の位置は、それによってタブ１５２が、絶縁支持体５２の固定面１５４を圧迫する、わずかに弾性的なプレストレスによって決まる。
【０１０２】
保護カーソル６７の後方位置に対応するこの静止位置において、上記スイッチは、その通常の「開」状態にあるのに対して、カーソル６７が、図２０を見て分かるように、前方位置にある場合には閉じている。
【０１０３】
どのような製作公差及び位置決め公差であっても、検出スイッチ１４０の状態の変化を確実にするために、２つのブレード、すなわち、固定ブレード１４２及び可動ブレード１４４の寸法及び位置は、該スイッチが、図２０を見て分かるように、閉じた作動位置にあるときに、固定ブレード１４２が、接触タブ１５２によって外側へわずかに弾性的に変形するようになっている。
【０１０４】
特に図４、１０、１１を見て分かるように、可動ブレード１４４は、左長手方向縁部８０、８８の切取り部１４５内に配置されている。従って、絶縁支持体５２の２つの側部横方向対向部の幅は同一であり、スイッチ１４０を、上記コネクタの最小及び小さい幅を増加させることなく、取付けることができる。この最小鉛直方向幅は、上記カードの寸法に起因し、かつ該カードをガイドするのに要するプラスチックの最小構造量に起因する。
【０１０５】
一つのブレードが、上記絶縁支持体の右縁部に沿って対称的に取付けられた場合、カードのコネクタ内への挿入を検出するスイッチを、同じ方法で形成することが可能である。
【０１０６】
そのうちの一つを図２１に示す、各コンタクトブレードの一般的なデザインは、公知のタイプである。具体的には、該デザインは、水平面にある実装又は取付け部１５１を有し、安定化機能も有する２つの挿入タブ１５３によって前方に伸びている。各タブ１５３は、絶縁支持体５２の後方横方向縁部８４の後部方向に開口している相補スロット１５５内に長手方向前方に挿入されるように、公知の方法でデザインされる。
【０１０７】
取付け部１５１を越えて、かつ２つの挿入タブ１５３の間において、各ブレード１００は、該ブレードの弾性湾曲体を構成し、かつ上方を向いているその凸状面が湾曲している自由接触端部分１０２によって、それ自体が伸びている上方傾斜中間部１５３を有する。
【０１０８】
上述したように、全ての接触パッドＰｉとの接続を可能にするために、各接触部分１０２の幅は、小さくかつ０．５ｍｍにする。
【０１０９】
各ブレード１００、１５１、１５３を取付けるために、および該ブレードを鉛直方向下方に弾性的に変形できるようにするために、底部６２の上面は、それ自体がブラインド底部１６０によって境界が形成されている溝１５８を隅から隅まで有する。
【０１１０】
上記絶縁支持体は、接触部分１０２の端縁部１５９と直線上に並んで、底部６２に対して盛り上がり部として形成された「ボックス部」１６２を有する。各ボックス部は、上記コンタクトブレードの絶縁支持体５２の定位置への挿入時に、端縁部１５９を該ボックス内に自由に挿入できるようにするために、後方に向かって長手方向に開口している（図１２参照）。
【０１１１】
ボックス部１６２の内部上面１６４は、取付け時の挿入を容易にするために、面取りされている。
【０１１２】
取付け位置及び静止位置においては、図２２を見て分かるように、上記ブレードは、底部６２の上に突出する接触部分１０２の正確な高さを規定するために、上記接触部分の上面が、面取り部１６４を鉛直方向上方へ圧迫する状態で、弾性的にわずかにプレストレスを与えられている。
【０１１３】
上記ボックス部の底部は、上記コンタクトブレードが曲がった場合に、図２３、２４を見て分かるように、該端縁部を該ボックス内に挿入することができるように、端縁部１５９と整列して鉛直方向下方に開口している。
【０１１４】
図２５は、本発明に係るコネクタの製造に用いるタイプの、コンタクトブレード１００の帯１６６の一部を示す。
【０１１５】
上記ブレードは、金属材料からなる薄い帯１６６を起点とする、連続する切断、折り曲げおよび／または弓状に曲げること、およびコーティング工程によって公知の方法で製造される。
【０１１６】
様々な製造工程の後、上記ブレードは、同一の帯１６６に属することになり、かつそれぞれ小さな横方向幅の一組の長い長手方向の短冊状部１７０を介して、連結バンド又はボーダー１８８によって一体に結合される。
【０１１７】
各々が断裂開始部１７４を有する短冊状部１７０の端部１７２は、取付け部分５１の後方部分へ（図２５を考えた場合に右側へ）接合される。
【０１１８】
従って、本発明の場合に、９つのコンタクトブレードからなる一群で絶縁支持体５２内に長手方向に挿入される、連続する一連のコンタクト帯は、予め上記ブレードの各々を分離することなく用いられ、すなわち、一つのコネクタの製作に対して、同じ絶縁支持体内に挿入される全てのブレードは、同じバッチに属し、かつ出力又は接続タブ１０４の同一平面性を欠くことがないことを保証するために、それらの寸法特性の観点から見て均質である。
【０１１９】
挿入時、上記９つのブレードの異なる長手方向位置を考慮に入れると、パッドＰ９、Ｐ３、Ｐ４に関連するブレードのための連結短冊状部１７０は、ブレード１００が、それらの短冊状部１７０から分離する前に、自動挿入具（図示せず）を用いて、全てのブレードを、前方に接触した状態で完全に挿入できるようにゆがませることによって変形する。
【０１２０】
分離操作は、別の湾曲操作を上記短冊状部に対して行うことにより開始部１７４を断裂させることによって実行される。
【０１２１】
従って、上記ブレードは、全て一つの短冊状部材から生じ、かつ工具の設定を変更することなく、同じ切断工具によって形成されているので、全ての上記ブレードが、本発明の意味の範囲内で均質であることは、確かなことである。
【０１２２】
なおコンタクトブレード１００が、それらの出力又は接続タブ１０４を後方に向けた状態で後方から挿入される、上述した本発明に係るコネクタの実施形態が、特に、上記カードのための横方向ストップ面７８と該コネクタの前方横方向面８６との間の全長を最適化することにより、上記プリント回路基板上のコネクタ５０の設置面積を最小化するという利点を有することに注意すべきである。
【０１２３】
本発明は、上述した基本的な実施形態に限定されるものではない。
【０１２４】
また、国際公開第００／１７８０６号文献（アイティーティー・マニュファクチャリング・エンタープライゼス・インコーポレーテッド）に記載されているものと同じ方法で、マイクロシムカードを同時に接続するコネクタ手段に組み込むことも可能である。
【０１２５】
そのような両用コネクタタイプの２つの実施形態を、図２６〜図３１に示す。
【０１２６】
図２６〜図２９に示す第１の実施形態においては、上記マイクロシムカードは、図２６〜図２８を考えた場合に、「上方」、すなわち上記ＳＤカードのための主コネクタ５０の様に配設されているコネクタ５０’内に収容されるように設計されており、コネクタ５０’及びコネクタ５０は、その後方部分５２’が、１枚のマイクロシムカードを受容するように設計され、かつコンタクトブレード１０２’が配置されているハウジング５８’を構成するために、底部６２の水平面に対して、変形および低くなっている絶縁支持体５２を共用しており、その接続出力部１０４’は、共通の絶縁支持体５２、５２’のどちらかの側部において（左又は右に）、横方向に向いており、その下部は、特に図２９を見て分かるように、コネクタ５０’用の絶縁支持体５２’を構成している。
【０１２７】
コネクタ５０’は、そのデザインが、国際公開第０１／６１７９０号文献（アイティーティー・マニュファクチャリング・エンタープライゼス・インコーポレーテッド）に記載かつ説明されている蝶番式の囲いカバー５４’を有する。
【０１２８】
カバー５４’が、図に示すような閉位置にある場合、カバー５４’の上面の平面は、上記ＳＤカードをガイドするために、後端部分によって完了しているコネクタ５０のためのハウジング５８の底部６２の面に対して、鉛直方向下方にずれている。
【０１２９】
この場合、図２６〜図２９に示すコネクタ５０は、上述したようなカバー５４を有しておらず、また、上記ＳＤカードを鉛直方向上方に保持しておらず、その長手方向挿入時のガイドは、絶縁体５２、５２’と共に成形された、水平方向に向いている上部ガイドタブ１７６、１７８によって実行される。
【０１３０】
上記ＳＤカードを挿入し易くするために、コネクタ５０’のカバー５４’が、切断及び折り曲げによって形成される、カバー５４’に対して一個構成の部材として形成された、２つの鉛直方向に向いた側方ガイドタブ１８０’、１８２’を有することも図を見て分かる。
【０１３１】
ブレード１００の接触端部１０２の後方に配置されている、上記ＳＤカード用の主コネクタ５０の一部（すなわち、図２６を考えた場合に、右側に配置されている部分）が、コネクタ５０’によって「占められている」限りにおいては、コンタクトブレード１００は、当然、図１〜図２５に関して上述した単一のコネクタの実施形態と比較して、反対方向に長手方向に取付けられている。
【０１３２】
従って、上記ブレードは、前方から後方へ、すなわち、図２６、２９に示す方向Ｌ２に、長手方向に挿入される。
【０１３３】
ボックス部１６２の方向も、当然指定され、また、それによってハウジング５８が、前方において長手方向に境界を形成される、鉛直方向に向いた横方向底部壁部７８は、上記ブレードが、方向Ｌ２への長手方向への挿入によって取付けられるときに、ブレード１００の接触端部１０２が通過することができる穴部１８４を有する。
【０１３４】
図３０〜図３２に示す両用コネクタの第２の実施形態においては、上記マイクロシムカード用コネクタ５０’は、上記ＳＤカードを受容し、かつ上述の実施例と同様に、それ自体が上方部に配設されているコネクタ５０の絶縁体５２の下面５７の下に配設されている。
【０１３５】
この実施形態においては、上記ＳＤカードを受容するコネクタ５０のコンタクトブレード１００は、それに起因し、かつ以下に説明する利点を有し、前方から挿入されるタイプである。これらの利点には、面５６、５７間が２．５ｍｍの小さな絶縁支持体５２の全高がある。
【０１３６】
コネクタ５０’の支持体５２’を構成するために、面５７の平面の下に突出する絶縁部分は、この面から約０．７ｍｍだけ突出しており、すなわち、面５７、５７’を離間する距離は、約０．７ｍｍである。
【０１３７】
また、突出部分５２は、コネクタ５０を保持するプリント回路基板のウィンドウ又は切り取り部内に取付けられる。上記コネクタの全高をさらに減らす必要がある場合には、カバー５４’を設ける必要はない。
【０１３８】
コネクタ５０に関して、タブ１７６、１７８は、上記アセンブリの全高を増加させることなく、別のプリント回路基板の相補的穴部内に取付けることもでき、そのため共用コネクタ５０、５０’は、２．５ｍｍだけ離間している２つのプリント回路基板の対向面間に挟まれている。
【０１３９】
別の実施形態によれば、タブ１７６、１７８を、その厚さが約０．２ｍｍ、すなわち、約０．４ｍｍである成形タブ１７６、１７８の厚さ未満である金属製カバー５４と置き換えることも可能である。
【０１４０】
図３３〜図４０に示す実施形態は、図１〜図２０に示す本発明に係る第１の実施形態の代替版であり、それはまず、上記ＳＤカードを長手方向位置に保持又は固定するブレードを有し、該ブレードは、該カードのノッチ７５に係合するように設計されている。
【０１４１】
固定ブレード１８４は、有利には、カバー５４に対して一個構成の部材として形成され、前記ブレードは、スイッチ１４０の固定ブレード１４２と同様の方法で、その側方ふた又は壁部１２２に形成されている。
【０１４２】
ブレード１８４は、後方長手方向に伸び、かつその自由端部に、Ｖ字状留め部１８６を有し、該Ｖ字の先端部は、上記コネクタの内側方向に横方向に向いており、ノッチ７５を有するＳＤカードの右側長手方向縁部７２に対向している。
【０１４３】
静止時、すなわち、カードが存在していない場合には、留め部１８６は、上記絶縁支持体に形成されたノッチ１８８（図３５参照）のため、上記コネクタの内側にあり、このノッチは、上記ＳＤカードが接触位置にあるときに、図３７を見て分かるように、該ＳＤカードのノッチ７５の右側にあるように、長手方向に位置している。
【０１４４】
上記ＳＤカードが、コネクタ５０の接触位置にある場合、留め部１８６は、ノッチ７５内に捕えられる（図３８参照）。
【０１４５】
該ＳＤカードの上記コネクタ内への挿入時に、留め部１８６は、ノッチ７５内に自動的に嵌る。
【０１４６】
留め部１８６のＶ字状部分は、上記ＳＤカードの切り取り角部６４に係合し、それにより、留め部１８６が、ブレード１８４によって加えられる低抵抗力によって前進移動することができるようになっている。
【０１４７】
上記ＳＤカードの長手方向後方への引き抜き時には、上記Ｖ字状部分が、ノッチ７５の直角をなす縁部に係合するので、留め部１８６をノッチ７５から開放する力が高くなる。
【０１４８】
Ｖ字状ノッチ１８６の枝部の角度の選択により、当然、留め部１８６を開放する力の値を設計することにより「調節」することを可能にする。
【０１４９】
１枚のＭＭＣカードが上記コネクタ内に挿入されている場合、留め部１８６を有するブレード１８４は、１枚のＳＤカードが挿入された場合と同様の方法で、外側に向かって横方向にそれて移動し、留め部１８６は、ブレード１８４によりそれに対して弾性的にプレストレスがかけられたままである一つのノッチを要することなく、該ＭＭＣカードの右長手方向縁部７２に係合し、それによってカードの摩擦ブレーキを構成する。
【０１５０】
この構成においては、当然、上述したように、カバー５４の壁部１２２から切り取ることによって、上記スイッチのブレードのうちの一つを形成することにより、上記コネクタの接触位置におけるカードの存在を検出するスイッチを形成することは不可能である。
【０１５１】
従って、図３３〜図４０に示す実施形態は、上記コネクタの前方長手方向端部近傍の接触位置において、ＭＭＣ又はＳＤカードの挿入端部及び存在を検出するスイッチ１９０を提供する。
【０１５２】
スイッチ１９０は、スイッチ１４０のブレード１４２と同様の「固定」ブレード１９２を有し、該ブレードは、カバー５４に対して一個構成の部材として形成されており、切断及び折り曲げにより形成され、特に図３９、４０に詳細に図示されている。
【０１５３】
すなわち、ブレード１９２は、スイッチ１４０の可動ブレード１４４と同じデザインであり、かつ特に、接続脚部１９６、１９７、凸状作動部分２００及び自由端部接触タブ２０２を有する、スイッチ１９０の可動ブレード１９４に対向して存在するように、絶縁支持体５２の前方横方向壁部に形成された切取り部１９５に対向する横方向鉛直面内にある。
【０１５４】
この実施形態においては、金属製又は金属化されたカバー５４は、その「固定」ブレード１４２、１９２を介してスイッチ１４０、１９０のために、上記プリント回路基板上のアーストラックとの共通の接続を構成する。
【０１５５】
図３６を見て詳細に分かるように、上記スイッチが静止状態の時に、接触タブ２０２が弾性的に押圧される支持面２０４は、有利には、この面２０４が上記ＳＤカード又はＭＭＣカードの下に存在するように、ボックス１６２内に形成され、それにより、該カードＣが作動位置又は接触位置にあるときに、該スイッチの行過ぎを減らすことが可能になる。
【０１５６】
次に、図１〜図１５に記載かつ示したのと同様の単一のコネクタの第１の実施形態について説明し、かつ図４１〜図５１に示し、該実施形態においては、コンタクトブレード１００が、その接続タブ又は出力部１０４を前方に向けた状態で、図４４の方向Ｌ２に長手方向後方に挿入される。
【０１５７】
この出力部１０４を前方に向けた状態の変形例は、該出力部を後方に向けた状態の実施例と比較した場合に、上記コネクタの全体の厚さを減らすという利点を有する。該コネクタは、ここでは、上述したように、カードＣ上の接触パッドＰｉが、上記プリント回路基板の方に向けられている、すなわち、ハウジング５８を上方に開口している状態である第１の形態になっている。
【０１５８】
出力部１０４を前方に向けた状態の別の変形例であって、上記絶縁支持体のためのハウジング５８を、上記プリント回路基板の上面の方に全体的に下方に向けた状態で、上記カード上の接触パッドＰｉが上記プリント回路基板から離れて、すなわち上方に向けられている変形例を図５２以降に示す。
【０１５９】
図４１〜図５１の変形例においては、２．１ｍｍ（±０．１５ｍｍ）のＳＤカードの厚さ、および０．２ｍｍのカバー５４の厚さを含む上記コネクタの全体の厚さは、２．７ｍｍである。
【０１６０】
図５２以降に示す変形例においては、全体の厚さは２．５ｍｍであるため、上記カードの鉛直方向保持は、上記プリント回路基板によって下向きに実現できる。２．５ｍｍに等しい、このコネクタの低い高さは、その最大高さが、２．１＋０．１５＝２．２５ｍｍである１枚のＳＤカードを受容することが可能である。
【０１６１】
特に図４１〜図４３を見て分かるように、コネクタ５０の全長、およびより具体的には、その横方向面８４、８６によって境界が形成される絶縁支持体５２の主要部の長さは、方向Ｌ２への長手方向挿入により、コンタクトブレード１００、１０２を取付けることを可能にする後方ブロック２２０を有するために、より大きくなっている。
【０１６２】
図４２、４３を見て分かるように、ボックス部１６２は、当然長手方向に逆になっているので、右に対して最も遠くに配置されたコンタクトブレード１００に関連するものは、後方横方向ストップ面１３８を有する、上記ＳＤカードの挿入を極性化するためのストップ部１３６を構成する。
【０１６３】
出力部１０４を後方に向けた状態の変形例の図２２〜図２４を参照すると、コンタクト１００の可撓性枝部１５７、および該ブレードを絶縁支持体５２内に固定するための部分１５１が、すなわち、該コンタクトの０．２ｍｍの厚さと、コンタクトブレード１５１の上下両側のプラスチックの０．２５ｍｍの厚さを含む、０．７ｍｍの厚さ又は高さ「Ｈ」を有する、上記ＳＤカードの下面７６の平面の下にあることが見て分かる。
【０１６４】
また、ブレード１００の自由接触端部１０２が、端部１０２が、前記カードの下面を可撓性枝部１５７に接触させることなく上記ＳＤカード上のパッドＰｉに接触することを確実にするために、およびそのことに起因して電気的接触を失うことを防ぐために、該ブレードの可撓性枝部１５７の面から少なくとも０．７ｍｍだけ突出していなければならないことが分かる。
【０１６５】
上記ＳＤカードのデザインによって規定される、上記絶縁支持体の平面６２、８３間の高さが０．７ｍｍであるため、上記絶縁支持体のブレード１００及びキャビティ１５８は、例えば、国際公開第００／１７８０５号及び第００／１７８０６号文献に記載されている、マイクロシムカード用コネクタに一般に使用される曲がったタイプの電気コンタクトブレードに現在採用されているデザインを逆にすることによって最適化されている。
【０１６６】
図２２に示す静止状態において、可撓性枝部５７は、端部１０２の接触点と可撓性枝部１５７との間の高さを最小化すると共に、上記ＳＤカード又はＭＭＣカード上の導電パッドの接触面に対して、接触点１０２の約０．５ｍｍの行過ぎを確実にするように、該カード上のパッドの方に、水平に対して１０°傾いている。
【０１６７】
図２３に示す各ブレードの作動位置において、可撓枝部１５７は、水平に近い弾性変形によって元に戻る。
【０１６８】
キャビティ１５８が、下方へ絶縁支持体の下面５７内に開口している、従来技術によるデザインが採用されていた場合には、弾性変形位置にある枝部１５７及び端部１５９が、上記プリント回路基板の上面と接触するのを防ぐために、一方では、かなり減らすべき静止状態での枝部１５７の傾斜角度が必要となり（すなわち、電気的接触の確実性の損失を伴う、静止状態における接触端部１０２の位置の行過ぎの高さは、減らさなければならない）、あるいは他方において、実質的に増加する、コンタクトブレード１００の領域１５１と、上記絶縁支持体の下面５７との間の厚さが必要となり、すなわち、上記コネクタの全厚さは、増加することになる。
【０１６９】
ここで、このデザインと、図４９〜図５１に示す、出力部１０４を前方へ向けた状態のデザインとを比較した場合、上記ＳＤカード又はＭＭＣカードの下にある上記絶縁支持体の底部が、０．２５ｍｍまで減らされた高さ「ｈ」を有することが分かるであろう。
【０１７０】
この非常に薄い底部２２６の堅牢性は、それらの間に可撓性枝部１５７が存在し、かつボックス部１６２内で終端するビーム部２２２（図４２参照）によって長手方向にもたらされる。
【０１７１】
一方、薄い底部２２６は、上記ビーム間に横方向の連結がないので、上記絶縁支持体の横方向の堅牢性には寄与しない。
【０１７２】
また、その部分１５１を長手方向に挿入した状態のブレード保持領域が、横方向面７８、８６によって境界が形成される４ｍｍの長さを越えて、絶縁支持体５２の前方のブロック２２０内に配置されていることも図を見て分かる。
【０１７３】
このデザインの主な特徴は、以下の通りである。
【０１７４】
絶縁支持体５２の上部のレベル、すなわち、２．５ｍｍまで上げることが可能な、この領域内の絶縁支持体に対する高さに関する制約はない。
【０１７５】
しかし、図を見て分かるように、実装品質を損なう可能性のある材料の過度の厚みをもたせることを避けるために、この高さの全てを利用することは不可能である。すなわち、ブロック２２０は、支持体５２の上面５６に対して、鉛直方向に引っ込めてある上面２２４によって上方に境界が形成されている。
【０１７６】
ブレード保持領域１５１は、上記ＳＤカード又はＭＭＣカードの下に存在していないので、該領域の位置に対しては、寸法の制約はない。
【０１７７】
関連するコンタクトブレードの自由端部１０２に対する、上記ＳＤカード又はＭＭＣカードの各パッドＰｉの接触面は、上記絶縁支持体の下面５７から０．７＋０．２５＝０．９５ｍｍの位置にある。
【０１７８】
この０．９５ｍｍという値は、マイクロシムカードのために開発されたコネクタに使用され、そのために接触保持領域の下の材料の厚さが０．２５ｍｍに等しくなっており、かつそのために上記絶縁支持体のキャビティが、上記カード上の導電パッドＰｉから離れて配置されている絶縁体（１ｍｍ）の厚さと等しい。
【０１７９】
上記コンタクトブレードの領域１５１の下面は、０．２５ｍｍの厚さを有する底部２２６の上面に対応する。そのため、この保持領域が、上記カードのためのストップ面７８を全体的に越えて配置されていることを確実にすることに注意しなければならず、そのため、上記ＳＤカード上のパッドＰｉを隔離する、０．６又は０．７ｍｍの高さを有するパーティション６７は、後者と接触しない。
【０１８０】
ブレード１００の自由端部１０２は、図４９に示す静止状態において、０．５ｍｍだけ行き過ぎる。
【０１８１】
すなわち、図４９〜図５１に示すコンタクトブレード１００の変形運動は、マイクロシムカードを接続するための公知のデザインに用いられる、従来の「曲がった」タイプのコンタクトブレードの変形運動と同じである。
【０１８２】
上面２２４は、高さに関して限定されていないので、コンタクトブレード保持領域１５１の上のプラスチックの厚みは非常に大きく、例えば、上記絶縁支持体に高い横方向の堅牢性を与える、図に示す実施形態においては約１．２ｍｍである。
【０１８３】
また、上記コンタクトブレードを収容するキャビティは、下方に開口しているので、これにより、方向Ｌ２への長手方向挿入時の、各コンタクトブレードの自由端部１０２及び弾性枝部１５７の無理のない通過を実現できる。
【０１８４】
図４１以降に示すカバー５４は、該カバーの後方部分に配置されたタブ１３２、１３４を除いて、上述したカバー５４と全体的に同じであり、そのため、上記プリント回路基板への半田付け後に、上記コネクタの固定及び機械的動きは、バランスがとれる。
【０１８５】
最後に、図５３、５４を見て分かるように、絶縁支持体５２は、導電パッドＰｉを有する１枚のＳＤカードを受容するために、その面５７が上方に向けられ、該カードも上方に向けられ、すなわち上記プリント回路基板の上面から離れているように、「逆さま」にすることもできる。
【０１８６】
該コネクタの実施形態も、その主な機能が、特に、その滑り路形勢部分１２０、１２２の包囲形状のため、長手方向アーム部８８、９０の剛性を保証すること、および電磁気遮蔽に寄与することであるカバー又はプレート５４を実現できる。
【０１８７】
カバー５４は、この場合、上記コネクタが、上記プリント回路基板の上面の取付け位置にあるときに、上方に向けられている絶縁支持体５２の面５７上に嵌めることにより、鉛直方向に取付けられる。
【０１８８】
カバー５４の上部プレート６０の０．２ｍｍの厚さは、絶縁支持体５２の面５７と、この場合下に向けられている、０．２５ｍｍの厚さを有する薄い底部又はウェブ２２６の他面との間にある（図５３参照）。
【０１８９】
図５４〜図５７を見て分かるように、コンタクトブレード１００、１０２の出力端部１０４は、当然、スイッチ１４０の可動ブレード１４４の出力パッド１４６、１４７と同様に、変更される。
【図面の簡単な説明】
【０１９０】
【図１】カードなしの状態で示す、本発明に係るコネクタを示す、上面斜視図及び左後方４５°から見た図である。
【図２】コネクタが、コネクタ内に完全に挿入された接触位置におけるＳＤタイプのカードと共に示されている、図１と同様の図である。
【図３】図２のコネクタの上面斜視図及び右後方４５°から見た図である。
【図４】金属製のふた又はカバーがない状態の、図１のコネクタを示す図である。
【図５】金属製のふた又はカバーがない状態の、図２のコネクタを示す図である。
【図６】その主要な規格寸法と共に、ＳＤカードの拡大した概略底面図である。
【図７】ＭＭＣカードを示す、図６と同様の図である。
【図８】結合して対応する導電パッドに対するコンタクトブレードの各自由端部の相対位置を明確に示すために、コネクタが透明であるかのように示して、ＳＤカードの下面上の９つの接触パッドを示した、図２及び図３のコネクタの前端部を拡大した平面図である。
【図９】図８の線９−９から見た断面図である。
【図１０】図８と同様の全体図であるが、その金属製カバーがない状態でコネクタを縮小して示した図である。
【図１１】ＳＤカードがない状態の図１０と同様の図である。
【図１２】図１１の矢印Ｆ１２の方向の詳細を拡大した斜視図である。
【図１３】図１のコネクタの平面図である。
【図１４】図１３の線１４−１４上の断面図である。
【図１５】図１３のコネクタの左側面図である。
【図１６】コネクタの金属製カバーの左後方４５°から見た斜視図である。
【図１７】図１６のカバーの底面図である。
【図１８】ＳＤカードの書込み保護デバイスの作動又は非作動位置を検出するスイッチの可動コンタクトブレードを示す、図１１の矢印Ｆ１８の方向に拡大した斜視図である。
【図１９】書込み保護デバイスの固定位置の検出に対応して開位置にあるスイッチを示す、カバーの上部壁部を一部切り欠いた状態の、図１３のＤ１９部分の詳細図である。
【図２０】書込み保護デバイスの非固定位置の検出に対応して閉位置にあるスイッチを示す、図１９と同様の図である。
【図２１】本発明に係るコネクタの９つの同一のコンタクトブレードのうちの一つを示す、左後方４５°から見た斜視平面図である。
【図２２】静止位置、すなわちコネクタ内にカードがない状態のコンタクトブレードを示す、図１１の線２２−２２上の拡大断面図である。
【図２３】コンタクトブレードが作動位置に示されている、図２２と同様の図である。
【図２４】コンタクトブレードが、絶縁支持体を鉛直方向下方に押圧する、最大限に変形した位置を示す、図２２と同様の図である。
【図２５】同一及び均質のコンタクトブレードの帯状形態の製造を示す概略図である。
【図２６】マイクロシムカード及びＳＤカードを共に接続できるようになっている両用コネクタである、本発明に係るコネクタの別の実施形態を示す、後方４５°から見た斜視平面図である。
【図２７】ＳＤカードが挿入されている状態の、別の角度から見た図２６と同様の図である。
【図２８】ＳＤカードがコネクタの接触位置に示されている、図２７と同様の図である。
【図２９】図２８のコネクタの底面図である。
【図３０】マイクロシムカード及びＳＤカードを共に接続する本発明に係る両用コネクタの他の実施形態を示す図２７と同様の図である。
【図３１】マイクロシムカード及びＳＤカードを共に接続する本発明に係る両用コネクタの別の実施形態を示す図２８と同様の図である。
【図３２】マイクロシムカード及びＳＤカードを共に接続する本発明に係る両用コネクタの別の実施形態を示す図２９と同様の図である。
【図３３】接触位置におけるカードの存在を検出するスイッチと共に、ＳＤカードの長手方向位置にストップ又は固定手段を含む、本発明に係るコネクタの第１の実施形態の代替形態を示す、図１と同様の図である。
【図３４】接触位置におけるカードの存在を検出するスイッチと共に、ＳＤカードの長手方向位置にストップ又は固定手段を含む、本発明に係るコネクタの第１の実施形態の代替形態を示す、図３と同様の図である。
【図３５】接触位置におけるカードの存在を検出するスイッチと共に、ＳＤカードの長手方向位置にストップ又は固定手段を含む、本発明に係るコネクタの第１の実施形態の代替形態を示す、図４と同様の図である。
【図３６】図３５の拡大詳細図である。
【図３７】接触位置におけるカードの存在を検出するスイッチと共に、ＳＤカードの長手方向位置にストップ又は固定手段を含む、本発明に係るコネクタの第１の実施形態の代替形態を示す、図５と同様の図である。
【図３８】接触位置におけるカードの存在を検出するスイッチと共に、ＳＤカードの長手方向位置にストップ又は固定手段を含む、本発明に係るコネクタの第１の実施形態の代替形態を示す、図８と同様の図である。
【図３９】接触位置におけるカードの存在を検出するスイッチと共に、ＳＤカードの長手方向位置にストップ又は固定手段を含む、本発明に係るコネクタの第１の実施形態の代替形態を示す、図１６と同様の図である。
【図４０】接触位置におけるカードの存在を検出するスイッチと共に、ＳＤカードの長手方向位置にストップ又は固定手段を含む、本発明に係るコネクタの第１の実施形態の代替形態を示す、図１７と同様の図である。
【図４１】コンタクトブレードの出力タブが前方に配置されている、本発明に係るコネクタの別の実施形態を示す、図１と同様の図である。
【図４２】コンタクトブレードの出力タブが前方に配置されている、本発明に係るコネクタの別の実施形態を示す、図４と同様の図である。
【図４３】このコネクタの絶縁支持体を示す斜視図である。
【図４４】コンタクトブレードの出力タブが前方に配置されている、本発明に係るコネクタの別の実施形態を示す、図８と同様の図である。
【図４５】コンタクトブレードの出力タブが前方に配置されている、本発明に係るコネクタの別の実施形態を示す、図１３と同様の図である。
【図４６】コンタクトブレードの出力タブが前方に配置されている、本発明に係るコネクタの別の実施形態を示す、図１４と同様の図である。
【図４７】コンタクトブレードの出力タブが前方に配置されている、本発明に係るコネクタの別の実施形態を示す、図１５と同様の図である。
【図４８】コンタクトブレードの出力タブが前方に配置されている、本発明に係るコネクタの別の実施形態を示す、図２１と同様の図である。
【図４９】コンタクトブレードの出力タブが前方に配置されている、本発明に係るコネクタの別の実施形態を示す、図２２と同様の図である。
【図５０】コンタクトブレードの出力タブが前方に配置されている、本発明に係るコネクタの別の実施形態を示す、図２２と同様の図である。
【図５１】コンタクトブレードの出力タブが前方に配置されている、本発明に係るコネクタの別の実施形態を示す、図２３と同様の図である。
【図５２】図５３以降に示す、本発明に係るコネクタの他の実施形態の絶縁支持体も構成する、図４１〜図５１に示すコネクタの絶縁支持体の左前方４５°から見た斜視底面図である。
【図５３】カードが接触位置に入った状態で、該カードの接触パッドが、コネクタを支持するプリント回路基板の上面に対向するように配置されている、本発明に係るコネクタの右後方４５°から見た斜視平面図である。
【図５４】カードがコネクタ内にない状態の、図５３のコネクタの底面図である。
【図５５】図５３、５４のコネクタのカバーの斜視平面図である。
【図５６】図５５のカバーの底面図である。
【図５７】図５３、５４のコネクタの９つの同一かつ均質のブレードのうちの一つの斜視図である。
【図１】
2004530261.tif 000003
【図２】
2004530261.tif 000004
【図３】
2004530261.tif 000005
【図４】
2004530261.tif 000006
【図５】
2004530261.tif 000007
【図６】
2004530261.tif 000008
【図７】
2004530261.tif 000009
【図８】
2004530261.tif 000010
【図９】
2004530261.tif 000011
【図１０】
2004530261.tif 000012
【図１１】
2004530261.tif 000013
【図１２】
2004530261.tif 000014
【図１３】
2004530261.tif 000015
【図１４】
2004530261.tif 000016
【図１５】
2004530261.tif 000017
【図１６】
2004530261.tif 000018
【図１７】
2004530261.tif 000019
【図１８】
2004530261.tif 000020
【図１９】
2004530261.tif 000021
【図２０】
2004530261.tif 000022
【図２１】
2004530261.tif 000023
【図２２】
2004530261.tif 000024
【図２３】
2004530261.tif 000025
【図２４】
2004530261.tif 000026
【図２５】
2004530261.tif 000027
【図２６】
2004530261.tif 000028
【図２７】
2004530261.tif 000029
【図２８】
2004530261.tif 000030
【図２９】
2004530261.tif 000031
【図３０】
2004530261.tif 000032
【図３１】
2004530261.tif 000033
【図３２】
2004530261.tif 000034
【図３３】
2004530261.tif 000035
【図３４】
2004530261.tif 000036
【図３５】
2004530261.tif 000037
【図３６】
2004530261.tif 000038
【図３７】
2004530261.tif 000039
【図３８】
2004530261.tif 000040
【図３９】
2004530261.tif 000041
【図４０】
2004530261.tif 000042
【図４１】
2004530261.tif 000043
【図４２】
2004530261.tif 000044
【図４３】
2004530261.tif 000045
【図４４】
2004530261.tif 000046
【図４５】
2004530261.tif 000047
【図４６】
2004530261.tif 000048
【図４７】
2004530261.tif 000049
【図４８】
2004530261.tif 000050
【図４９】
2004530261.tif 000051
【図５０】
2004530261.tif 000052
【図５１】
2004530261.tif 000053
【図５２】
2004530261.tif 000054
【図５３】
2004530261.tif 000055
【図５４】
2004530261.tif 000056
【図５５】
2004530261.tif 000057
【図５６】
2004530261.tif 000058
【図５７】
2004530261.tif 000059
【国際公開パンフレット】
2004530261.tif 000060
2004530261.tif 000061
2004530261.tif 000062
2004530261.tif 000063
2004530261.tif 000064
2004530261.tif 000065
2004530261.tif 000066
2004530261.tif 000067
2004530261.tif 000068
2004530261.tif 000069
2004530261.tif 000070
2004530261.tif 000071
2004530261.tif 000072
2004530261.tif 000073
2004530261.tif 000074
2004530261.tif 000075
2004530261.tif 000076
2004530261.tif 000077
2004530261.tif 000078
2004530261.tif 000079
2004530261.tif 000080
2004530261.tif 000081
2004530261.tif 000082
2004530261.tif 000083
2004530261.tif 000084
2004530261.tif 000085
2004530261.tif 000086
2004530261.tif 000087
2004530261.tif 000088
2004530261.tif 000089
2004530261.tif 000090
2004530261.tif 000091
2004530261.tif 000092
2004530261.tif 000093
2004530261.tif 000094
2004530261.tif 000095
2004530261.tif 000096
2004530261.tif 000097
2004530261.tif 000098
2004530261.tif 000099
2004530261.tif 000100
2004530261.tif 000101
2004530261.tif 000102
2004530261.tif 000103
2004530261.tif 000104
2004530261.tif 000105
2004530261.tif 000106
2004530261.tif 000107
2004530261.tif 000108
2004530261.tif 000109
2004530261.tif 000110
2004530261.tif 000111
2004530261.tif 000112
2004530261.tif 000113
2004530261.tif 000114
2004530261.tif 000115
2004530261.tif 000116
2004530261.tif 000117
2004530261.tif 000118
2004530261.tif 000119
2004530261.tif 000120
2004530261.tif 000121
2004530261.tif 000122
2004530261.tif 000123
2004530261.tif 000124
2004530261.tif 000125
2004530261.tif 000126
2004530261.tif 000127
2004530261.tif 000128
2004530261.tif 000129
2004530261.tif 000130
2004530261.tif 000131
2004530261.tif 000132
2004530261.tif 000133
2004530261.tif 000134
2004530261.tif 000135
2004530261.tif 000136
2004530261.tif 000137
2004530261.tif 000138
2004530261.tif 000139
2004530261.tif 000140
2004530261.tif 000141
2004530261.tif 000142
2004530261.tif 000143
2004530261.tif 000144
2004530261.tif 000145
2004530261.tif 000146
2004530261.tif 000147
2004530261.tif 000148
2004530261.tif 000149
2004530261.tif 000150
2004530261.tif 000151
【手続補正書】
【提出日】平成15年5月21日(2003.5.21)
【手続補正１】
【補正対象書類名】特許請求の範囲
【補正対象項目名】全文
【補正方法】変更
【補正の内容】
【特許請求の範囲】
【請求項１】
絶縁材で形成され、その上面（５６）が開口しているハウジング（５８）であって、その下主面（７６）に、接触式メモリスマートカード（Ｃ）の横方向縁部（６６）の近傍に、所定の規則的でない横方向の配置で配置されており、各々が、支持体（５２）のハウジングの底部（６２）に配置された、該支持体によって支持されかつ一連の平行長手方向ブレード（１００）に属している、電気コンタクトブレード（１００）の自由接続端部（１０２）に係合する、一連の平行な長手方向導電パッド（Ｐｉ）を有する矩形状の全体形状からなる、前記ハウジング内に受容される接触式メモリスマートカードのハウジングを形成する支持体（５２）を備え、各ブレードが、長手方向への挿入操作によって、該支持体内に嵌込まれるタイプ、およびコンタクトブレードの各自由端部（１０２）が、接触位置にある前記カードの対応する導電パッド（Ｐｉ）と共に一つの接触点を形成し、少なくとも２つの接触点が、残りの接触点に対して長手方向にずれているタイプの電気コネクタ（５０）のアセンブリであって、
前記全てのコンタクトブレード（１００、１０２）が、同一であり、かつ前記ブレードを単一の挿入操作で同時に嵌合できるように、前記カード上の導電パッド（Ｐｉ）の前記所定の配置と矛盾のない一定の横方向ピッチ（Ｅ）で配置されていることを特徴とするアセンブリ。
【請求項２】
前記カードが、一組の連続する導電パッドに属する少なくとも２つのパッドが、導電パッド（Ｐｉ）の自由下方接触面が実質的に存在する水平面に対して、鉛直方向下方に突出する絶縁パーティション（６７）によって分離されている、ＭＭＣタイプのカード、特にＳＤタイプのカードであることを特徴とする、請求項１に記載のアセンブリ。
【請求項３】
前記全てのパーティション（６７）が、接触位置において、ハウジング（５８）の底部（６２）の上面に対して垂直になっている、前記カードの下面（７６）と同一平面上にある下縁部によって、鉛直方向下方に境界が形成されていることを特徴とする、請求項２に記載のアセンブリ。
【請求項４】
前記同一のコンタクトブレード（１００、１０２）が、その値が、２．３５〜２．４５ｍｍの間で選択される一定のピッチ（Ｅ）で配置されていることを特徴とする、請求項２または３に記載のアセンブリ。
【請求項５】
前記同一のコンタクトブレード（１００、１０２）が、２．４ｍｍの一定のピッチ（Ｅ）で配置されていることを特徴とする、請求項４に記載のアセンブリ。
【請求項６】
ハウジング（５８）の底部（６２）の上面の平面から鉛直方向上方に突出する、各コンタクトブレードの自由接触端部の横方向幅が、０．５ｍｍであることを特徴とする、請求項５に記載のアセンブリ。
【請求項７】
ハウジング（５８）が、前記カードの全面と平行な方向にハウジング（５８）内に長手方向に挿入され、かつカード（Ｃ）の前記横方向縁部（６６）が、該カードの接触位置を規定するために、それに対して当接する底縁部（７８）によって横方向の境界が形成される、カード（Ｃ）の少なくとも一部分を収容することを特徴とする、請求項１〜請求項６のうちのいずれか一項に記載のアセンブリ。
【請求項８】
前記コンタクトブレード（１００）の各々の長手方向位置、および絶縁支持体（５２、７８）に対する自由接触端部（１０２）の長手方向位置が、前記挿入操作後に、前記絶縁支持体の対応部分と長手方向に当接する前記コンタクトブレードの一部分によって決まることを特徴とする、請求項１〜請求項７のうちのいずれか一項に記載のアセンブリ。
【請求項９】
カード（Ｃ）の前記横方向縁部（６６）が、アセンブリ（５０）のハウジング（５８）内におけるカード（Ｃ）の正しい方向を規定する極性化手段を構成するために、ハウジング（５８）の底部横方向縁部（７８）の端部のうちの一つに、４５°の傾斜で形成された対応面（９８）に係合するように指定された、約４５°の切り取り角部（６４）を有することを特徴とする、請求項１〜請求項８のうちのいずれか一項に記載のアセンブリ。
【請求項１０】
前記カードが前記正しい方向に挿入されている場合に、２つの連続するパーティション（６７）の間の自由接触端部と共に収容されるように、および後部が前記正しい方向に挿入されていない場合に、前記カードの完全な長手方向挿入を防ぐために、前記カードの横方向面部（６８）に係合するように、前記ハウジングの底部（６２）に盛り上がり部として形成され、かつ前記コンタクトブレードのうちの一つに横方向に隣接して、その自由接触端部（１０２）の近傍に、および前記カードの長手方向の挿入方向を考えた場合に、その後方の上流に配置されたストップ部（１３６）を有することを特徴とする、請求項１〜請求項９のうちのいずれか一項に記載のアセンブリ。
【請求項１１】
前記カード（Ｃ）をハウジング（５８）内に保持する金属製カバー（５４）であって、カード（Ｃ）の上面（７４）を覆って広がり、かつ該カバーに対して１個構成の部材として形成され、ＳＤカードのための書込み保護デバイス（６５、６９）の状態を検出するためのスイッチ（１４０）に属するコンタクトブレード（１４２）を有する金属製カバー（５４）を含むことを特徴とする、請求項１〜請求項１０のうちのいずれか一項に記載のアセンブリ。
【請求項１２】
カバー（５４）が、ＳＤカードを接触位置に固定するための弾性変形可能なブレード（１８４、１８６）を有することを特徴とする、請求項１１に記載のアセンブリ。
【請求項１３】
前記カバーが、カード（Ｃ）の前記アセンブリ内への挿入時の端部を検出するためのスイッチ（１９０）に属する、弾性変形可能なブレード（１９２）を含むことを特徴とする、請求項１１に記載のアセンブリ。
【請求項１４】
前記カバーが、前記絶縁支持体の相補的側方部分（８０、８２、８８、９０）を取り巻き、かつ補強する側方縁部（１２０、１２２、１２４、１２６、１３３、１３５）を有することを特徴とする、請求項１１〜請求項１３のうちのいずれか一項に記載のアセンブリ。
【請求項１５】
各コンタクトブレード（１００）が、その前方自由接触端部（１０２）と反対側に後方接続端部（１０４）を有し、かつＳＤカードの下面の面の下に存在する、絶縁支持体（５２）内に固定するための部分（１５１）を有することを特徴とする、請求項１〜請求項１４のうちのいずれか一項に記載のアセンブリ。
【請求項１６】
成形により単一の部材で形成された絶縁支持体（５２）が、マイクロシムカードを受容するように指定された別の一体型アセンブリ（５０’）の絶縁支持体（５２’）と共用であることを特徴とする、請求項１〜請求項１５のうちのいずれか一項に記載のアセンブリ。
【請求項１７】
前記コンタクトブレード（１００）が、絶縁支持体（５２）内に同時に挿入され、かつ均一な寸法特性を有するように、同じ製造バッチに属していることを特徴とする、請求項１〜請求項１６のうちのいずれか一項に記載のアセンブリ。
【国際調査報告】
2004530261.tif 000152
2004530261.tif 000153
2004530261.tif 000154